【手続補正書】
【提出日】平成18年2月13日(2006.2.13)
【手続補正１】
【補正対象書類名】明細書
【補正対象項目名】０００３
【補正方法】変更
【補正の内容】
【０００３】また、従来の技術では例えば毎時１０ｍｌなどの微量の排出量速度を得るのは極めて困難であった。
容器内液面と容器側面に設けた液体排出端との高低差と、排出端での流出速度との関係は、液体の排出端での摩擦や断面の収縮による圧力損失を無視すると、理論的には、流出速度をＶとすると、Ｖは２ｇｈの平方根で示される。ここで、ｇは重力の加速度を示し、ｈは液面と排出端との高低差とする。この関係式を利用したポンプを使わない方法として、特開平９−２１８７１５「液体定量供給機」及び、特開平１０−３２００５６「液体定量吸引排出装置」が提案されている。上記２つの発明では、引張りコイルバネまたは圧縮コイルバネのバネ定数ｋを
ｋ＝（容器の液体の最大重量）／（容器の液体の最大深さ）
となる様に選定することにより、液体の入った容器を引張りコイルバネに吊り下げ、または、圧縮コイルバネに載せた場合、容器内液面の高さが変化しても、液面と固定された液体の排出端との高低差は一定となる。したがって流出速度は変化しない。
【手続補正２】
【補正対象書類名】明細書
【補正対象項目名】０００５
【補正方法】変更
【補正の内容】
【０００５】図７には特開平１０−３２００５６「液体定量吸引排出装置の圧縮コイルバネの実施例が示されている。容器１には液体２が満たされている吸引管５により液体２は吸引され、排出端３より排出されている。容器１は圧縮コイルバネ６の上に載っていて、容器１内の液体２の量の変化による液深さの増減と圧縮コイルバネ６の伸縮の増減が同じなので、吸引管５を容器１及び圧縮コイルバネ６以外の固定点である外筒７の固定端子８に固定することにより、容器１内の液面と排出端３との高低差４は液体２の量の多少に拘わらず不変となる。つまり、液体２の量が多い図７（ａ）の高低差４と液体２の量が少ない図７（ｂ）の高低差４は同じとなる。しかし、図７（ａ）と図７（ｂ）とでは、液体２の量が少ない図７（ｂ）では容器１が図７（ａ）より上昇している。この様に液体２の量の多少に従い、容器１が上下する現象は引張りコイルバネの場合でも同じである。それゆえ、圧縮コイルバネ又は引張りコイルバネを使用する液体定量吸引排出装置は、容器が上下に動く範囲の空間を確保しておく必要があり、実用上において不便であることが多い。
【手続補正３】
【補正対象書類名】明細書
【補正対象項目名】００２１
【補正方法】変更
【補正の内容】
【００２１】
【実施例】本発明の液体排出供給装置を図１（ａ）と図１（ｂ）で詳細に説明する。図１（ａ）において、容器９には液体１０が液面１１の深さまで貯められている。液体１０は液体排出口１２より流出し、柔軟性のチューブ１３を通り、液体供給機構１４から他の設備に供給されるが、実施例１では他の設備の例として植木鉢１８が使用されている。又、液体１０として水を使用している。
液体供給機構１４はチューブの末端である排出端１７と、排出端１７を固定する排出端固定器具１５より成り立っている。なお、チューブの排出端１７は排出端固定器具１５にあるチューブ貫通口１６を貫通した状態で排出端固定器具１５に固定されている。図１（ｂ）には液体供給機構１４を上方より見た状態が示されていて、排出端固定器具１５の貫通口１６にチューブ１３の排出端１７が差し込まれている。
【手続補正４】
【補正対象書類名】明細書
【補正対象項目名】００２２
【補正方法】変更
【補正の内容】
【００２２】液体供給機構１４は昇降機構２０により上下に昇降することが可能である。昇降機構２０は昇降ロッド２１と支柱２２より構成されている。排出端固定器具１５には上下方向に支柱２２の径より大きな穴１０１が開いていて、支柱２２が上下方向に貫通している。支柱２２に緩い状態で拘束されているため、液体供給機構１４は上下方向には自由に動くが、横方向には動かない様になっている。
【手続補正５】
【補正対象書類名】明細書
【補正対象項目名】００３９
【補正方法】変更
【補正の内容】
【００３９】小容器３５の上端は開放されているので、容器９の液面１１と液体流入口３６との高低差３９に相当する液体のヘッドにより、液体１０は小容器３５に流入する。液面３８が液体流入口３６の高さまで到達しない様に、小容器排出口３７の口径を大きくしておくことにより、実施例２の液体排出供給装置の排出量または他の設備への供給量は、小容器３５に流入する量と等しくなる。実施例２の特徴は、小容器３５をポリプロピレン等の透明な材料で製作しておけば、液体１０の流動状況がよく判るので、実用上に便利である。
【手続補正６】
【補正対象書類名】明細書
【補正対象項目名】００４０
【補正方法】変更
【補正の内容】
【００４０】
【実施例３】実施例３は請求項５の実施例であり、図３に示す。図３において、容器９には液体１０と断面積可変器具４０が入っている。断面積可変器具４０には、容器９の断面積を変化出来るように中心部に開口部を有する同心円状の、上部流量可変板４１ａと下部流量可変板４１ｂが設けられている。断面積可変器具４０は簡単に出し入れが出来るような構造になっていて、鍔４３を容器９の上端に引っかけて固定できるようになっている。
【手続補正７】
【補正対象書類名】明細書
【補正対象項目名】００４４
【補正方法】変更
【補正の内容】
【００４４】液体１０が排出を開始し、液面１１と排出端１７との高低差が高低差４５に達した後、液面１１ａに達するまでは、液面１１の降下速度と排出端１７の降下速度は実質的には同じであるから、液体１０の排出量速度は、液面１１と液面１１ａの間の容器９の断面積に排出端１７の降下速度を乗じた値となる。
【手続補正８】
【補正対象書類名】明細書
【補正対象項目名】００５４
【補正方法】変更
【補正の内容】
【００５４】本発明の液体排出供給装置では、液体供給機構を上方より下方へ降下させるので、液体供給機構の降下した距離に相当する位置のエネルギーは液体供給機構が上方より下方へ降下するのに必要なエネルギーの一部として費やされる。従って、液体供給機構と昇降機構との摩擦を少なくすることにより、小さな太陽電池で駆動機構を動かすことが可能となる。
【手続補正９】
【補正対象書類名】明細書
【補正対象項目名】図２
【補正方法】変更
【補正の内容】
【図２】実施例２の液体排出供給装置の概観図である。
【手続補正１０】
【補正対象書類名】明細書
【補正対象項目名】符号の説明
【補正方法】変更
【補正の内容】
【符号の説明】
１−−−−−容器
２−−−−−液体
３−−−−−排出端
４−−−−−高低差
５−−−−−吸引管
６−−−−−圧縮コイルバネ
７−−−−−外筒
８−−−−−固定端子
９−−−−−容器
１０−−−−−液体
１１−−−−−液面
１１ａ−−−−−液面
１１ｂ−−−−−液面
１１ｃ−−−−−液面
１１ｄ−−−−−液面
１２−−−−−液体排出口
１３−−−−−チューブ
１４−−−−−液体供給機構
１５−−−−−排出端固定器具
１６−−−−−チューブ貫通口
１７−−−−−排出端
１８−−−−−植木鉢
１９−−−−−高低差
２０−−−−−昇降機構
２１−−−−−昇降ロッド
２２−−−−−支柱
２３−−−−−駆動ボックス
２４−−−−−駆動機構
２５−−−−−モーター
２６−−−−−Ｎｏ．１シャフト
２７−−−−−Ｎｏ．１ギアー
２８−−−−−Ｎｏ．２シャフト
２９−−−−−Ｎｏ．２ギアー
３０−−−−−Ｎｏ．３ギアー
３１−−−−−Ｎｏ．３シャフト
３２−−−−−Ｎｏ．４ギアー
３３−−−−−液体供給機構
３４−−−−−小容器固定器具
３５−−−−−小容器
３６−−−−−液体流入口
３７−−−−−小容器排出口
３８−−−−−液面
３９−−−−−高低差
４０−−−−−断面積可変器具
４１ａ−−−−−上部流量可変板
４１ｂ−−−−−下部流量可変板
４２ａ−−−−−中心部開口穴
４２ｂ−−−−−中心部開口穴
４３−−−−−鍔
４４ａ−−−−−高低差
４４ｂ−−−−−高低差
４４ｃ−−−−−高低差
４５−−−−−高低差
４６−−−−−ソーラーパネル
４７−−−−−ソーラーパネル支柱
４８−−−−−導線
４９−−−−−液体供給機構
５０−−−−−排出端固定器具
５１−−−−−貫通口
５２−−−−−ネジ
５３−−−−−コップ
１０１−−−−−穴
【手続補正１１】
【補正対象書類名】図面
【補正対象項目名】図１
【補正方法】変更
【補正の内容】
【図１】
2000254481.tif 000001
【手続補正１２】
【補正対象書類名】図面
【補正対象項目名】図３
【補正方法】変更
【補正の内容】
【図３】
2000254481.tif 000002